(57)【要約】【課題】読取主走査方向にＬＥＤを１列に並べた照明を１つしかもたない原稿読取装置において、ＬＥＤ照明が故障したとしても、読取可能な領域を特定し、原稿を正常にスキャンすることができる。【解決手段】本発明は、原稿の主走査方向に沿って複数の発光部が一列に配列された発光部列を有し、原稿を照明する照明手段と、照明手段によって照明された原稿の画像を読取る読取手段と、照明手段の少なくとも１つの発光部が発光しないことを検知する検知手段と、検知手段により照明手段の少なくとも１つの発光部が発光しないことが検知されたことに応じて、正常に読取れる領域を特定する特定手段と、読取った画像において所定の画像処理を行う画像処理部とを備える。【選択図】図４
2012151743.tif 000002
【特許請求の範囲】
【請求項１】
原稿の主走査方向に沿って複数の発光部が一列に配列された発光部列を有し、前記原稿を照明する照明手段と、
該照明手段によって照明された原稿の画像を読取る読取手段と、
前記照明手段の少なくとも１つの発光部が発光しないことを検知する検知手段と、
前記検知手段により前記照明手段の少なくとも１つの発光部が発光しないことが検知されたことに応じて、正常に読取れる領域を特定する特定手段と、
読取った画像において所定の画像処理を行う画像処理部と
を備える
ことを特徴とする原稿読取装置。
【請求項２】
前記発光部は複数の発光ダイオードからなる
ことを特徴とする請求項１に記載の原稿読取装置。
【請求項３】
前記検知手段は、前記読取手段によるシェーディング補正板の読取レベルに基づいて前記検知手段により検知される発光しない発光部を特定する
ことを特徴とする請求項２に記載の原稿読取装置。
【請求項４】
前記検知手段は、発光ダイオードの温度を検知する温度センサによって、発光しない部分を特定する
ことを特徴とする請求項２に記載の原稿読取装置。
【請求項５】
請求項１記載の原稿読取装置において、
原稿サイズ検知センサを備え、正常読取領域と原稿サイズを比較する比較手段をもつ
ことを特徴とする原稿読取装置。
【請求項６】
請求項５記載の原稿読取装置において、
前記原稿サイズ検知センサで検知した原稿サイズが正常読取領域を超えるサイズであった場合、ユーザに処理を選択させる
ことを特徴とする原稿読取装置。
【請求項７】
請求項１記載の原稿読取装置において、
原稿の置く位置を指定する指定手段をもつ
ことを特徴とする原稿読取装置。
【請求項８】
前記所定の画像処理とは、読取った画像から異常画像部分を削除する
ことを特徴とする請求項１に記載の原稿読取装置。
【請求項９】
前記所定の画像処理とは、複数回数読取った画像を合成する
ことを特徴とする請求項１に記載の原稿読取装置。
【請求項１０】
請求項１乃至９のいずれか１項に記載の原稿読取装置を搭載することを特徴とする画像形成装置。
【発明の詳細な説明】
【技術分野】
【０００１】
本発明は、ＬＥＤ（発光ダイオード、Ｌｉｇｈｔ  Ｅｍｉｔｔｉｎｇ  Ｄｉｏｄｅの略）を並べた照明における、ＬＥＤ故障時の原稿読取に関する。
【背景技術】
【０００２】
従来、原稿読取装置に用いられる照明光源として、Ｘｅ（キセノン）ガスを封入したＸｅ蛍光管等の光源が多く用いられていた。
【０００３】
しかし、Ｘｅ管等の蛍光管は、高周波の交流駆動により点灯駆動されるので、ＤＣ電圧をＡＣ電圧に変換するインバータが必要になるため、原稿読取装置にインバータを載置するスペースを確保する必要があった。また、Ｘｅ管等の蛍光管は、発光効率が悪いためにインバータや蛍光管から発生する発熱量が多く、熱対策が必要で、しかも相応の電力を必要とする。更に、Ｘｅ管等の蛍光管は、経年的な光量劣化により寿命は比較的短い等の欠点がある。
【０００４】
一方で、Ｘｅ管等の蛍光管の欠点を解消すべく、相応の発光光量をもつＬＥＤが開発され、このＬＥＤを複数個並べた照明光源を備える原稿読取装置が提案されている。このＬＥＤを複数個並べた照明において、ＬＥＤが故障した場合、他の正常なＬＥＤを調整し、原稿を読取り可能な光量に調整することが既に知られている。
【０００５】
特許文献１には、照明に使われるＬＥＤ素子が故障した場合でも、正常に読取りを行う目的で、主走査方向に並んだＬＥＤを使い、照明の光量を正常時と同程度に調整することが開示されている。
【発明の概要】
【発明が解決しようとする課題】
【０００６】
しかしながら、故障したＬＥＤの周囲の別のＬＥＤ素子を使い照明の光量を調整するため、ＬＥＤ素子を必要以上に搭載しなければならないという問題があった。
【０００７】
そこで、本発明は、読取主走査方向にＬＥＤを１列に並べた照明を１つしかもたない原稿読取装置において、ＬＥＤ照明が故障したとしても、読取可能な領域を特定し、原稿を正常にスキャンすることができる原稿読取装置を提供することを目的とする。
【課題を解決するための手段】
【０００８】
本発明は、原稿の主走査方向に沿って複数の発光部が一列に配列された発光部列を有し、原稿を照明する照明手段と、照明手段によって照明された原稿の画像を読取る読取手段と、照明手段の少なくとも１つの発光部が発光しないことを検知する検知手段と、検知手段により照明手段の少なくとも１つの発光部が発光しないことが検知されたことに応じて、正常に読取れる領域を特定する特定手段と、読取った画像において所定の画像処理を行う画像処理部とを備えることを特徴とする。
【発明の効果】
【０００９】
本発明によれば、ＬＥＤを主走査方向に並べた照明を複数列持つ従来方式に対して、ＬＥＤの数を増やすことなく、ＬＥＤ故障時に対応した原稿読取りを行うことができるという効果を奏する。
【図面の簡単な説明】
【００１０】
【図１】本発明の実施形態に係る原稿読取装置の要部断面図である。
【図２】本発明の実施形態に係る原稿読取装置の制御回路を示すブロック図（その１）である。
【図３】本発明の実施形態に係るＬＥＤ光源とシェーディング補正板の読取状態との対応関係を示す図である。
【図４】本発明の実施形態に係るシェーディング補正と故障動作例を説明するためのフローチャート図（その１）である。
【図５】本発明の実施形態に係る原稿読取装置の制御回路を示すブロック図（その２）である。
【図６】本発明の実施形態に係るシェーディング補正と故障動作例を説明するためのフローチャート図（その２）である。
【図７】本発明の実施形態に係る往復読取による画像合成を説明する図である。
【発明を実施するための形態】
【００１１】
本発明の実施形態について説明する。本発明は、ＬＥＤを並べた照明におけるＬＥＤ故障時の原稿読取に際して、以下の特徴を有する。即ち、主走査方向に並べたＬＥＤが故障した箇所を特定し、そして、正常に読取可能な領域を特定し、原稿を読取ることが特徴になっている。この本発明の特徴について、以下の図面を用いて詳細に説明する。
【実施例１】
【００１２】
図１は、本発明の実施形態に係る原稿読取装置の要部断面図である。本実施形態の原稿読取装置は、図１に示すように、原稿台ガラス１２０３上に置かれた原稿１２０４が原稿照明ランプ（照明手段）１２０１によって照明される。原稿照明ランプ１２０１によって照明された原稿１２０４の画像は、第１ミラー１２０５、第２ミラー１２０６、第３ミラー１２０７、レンズ１２０８を介してイメージセンサ（読取手段）１２０９に結像し、原稿１２０４のラインイメージを読取る。
【００１３】
原稿照明ランプ１２０１と第１ミラー１２０５とから構成される読取部１２１０は、図１の矢印Ａ方向に移動し、順次原稿１２０４のラインイメージを読取る。その際、第２ミラー１２０６および第３ミラー１２０７も原稿面からイメージセンサ１２０９までの距離（光路長）が一定となるように不図示の駆動系によって矢印Ａ方向に移動する。
【００１４】
次に、原稿読取装置の基本的な画像読取動作について説明する。
【００１５】
オペレータにより、原稿読取りのコマンドが入力（具体的にはコピーボタンが押される等）されると、原稿読取装置は、不図示の駆動系により、読取部１２１０をホームポジションの位置から矢印Ｂ方向に移動させる。これにより、読取位置をシェーディング補正板１２１１の真下に配置する。
【００１６】
次に、原稿読取装置は、原稿照明ランプ１２０１を点灯させてシェーディング補正板１２１１を照明し、シェーディング補正板１２１１のラインイメージを第１ミラー１２０５、第２ミラー１２０６、第３ミラー１２０７、レンズ１２０８を介してイメージセンサ１２０９へ導く。
【００１７】
イメージセンサ１２０９で読取られたシェーディング補正板１２１１のラインイメージの画素毎の出力信号は、不図示の画像処理回路によって、全ての画素の出力レベルが所定のレベルになるように補正される。この画像処理によって、原稿照明ランプ１２０１の照度ムラ、レンズ１２０８の周辺光量落ち、イメージセンサ１２０９の画素毎の感度ムラが補正され、原稿画像の読取りムラが補正される。
【００１８】
シェーディング補正処理が終了すると、読取部１２１０は、不図示の駆動系によりさらに矢印Ｂ方向に移動し、部材１２１２の直下に位置される。部材１２１２の真下は原稿画像のホームポジションである。不図示の駆動系は、ホームポジションから読取部１２１０を矢印Ａ方向に加速移動させ、読取部１２１０が原稿台ガラス１２０３上の原稿１２０４の先端部に達するまでに読取部１２１０が等速駆動されるように制御される。読取部１２１０が原稿１２０４の先端部に達すると、イメージセンサ１２０９は原稿１２０４の画像の読取り処理を開始する。
【００１９】
不図示の駆動系は、読取部１２１０を等速のまま矢印Ａ方向に移動させ、原稿１２０４の終端まで読取った後、読取部１２１０の移動を停止させ、矢印Ｂ方向に読取部１２１０を移動させてホームポジションに戻す。これにより、一連の画像読取り処理を終了して、次回の画像読取り処理まで待機する。
【００２０】
図２は、本発明の実施形態に係る原稿読取装置の制御回路を示すブロック図（その１）である。図２に示すように、本実施形態の原稿読取装置は、制御回路基板１６０１、ＬＥＤ駆動回路制御部１６０７およびインターフェース（以下、Ｉ／Ｆと略す）回路１６０８を備える。制御回路基板１６０１は、装置全体を制御するＣＰＵ（Ｃｅｎｔｒａｌ  Ｐｒｏｃｅｓｓｉｎｇ  Ｕｎｉｔの略）１６０２、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔの略）１６０３、ＲＯＭ（Ｒｅａｄ  Ｏｎｌｙ  Ｍｅｍｏｒｙの略）１６０４、ＲＡＭ（Ｒａｎｄｏｍ  Ａｃｃｅｓｓ  Ｍｅｍｏｒｙの略）１６０５を有しており、これらのデバイスはシステムバス１６０６を介して互いに接続されている。
【００２１】
ＲＯＭ１６０４にはＣＰＵ１６０２の制御プログラム等が格納され、ＲＡＭ１６０５はＣＰＵ１６０２の計算領域に用いられる。
【００２２】
ＡＳＩＣ１６０３は、ＣＰＵ１６０２からの命令により、シェーディング補正等の画像処理や原稿読取装置の主要ユニットに対しての制御信号を送受信する大規模集積回路である。
【００２３】
ＡＳＩＣ１６０３には、イメージセンサ１２０９が接続されており、イメージセンサ１２０９より出力される原稿画像のラインイメージがＡＳＩＣ１６０３に入力される。また、ＡＳＩＣ１６０３には、Ｉ／Ｆ回路１６０８も接続されている。ＡＳＩＣ１６０３は、Ｉ／Ｆ回路１６０８に接続されているプリンタＩＰ等の外部機器に読取った原稿画像を画像処理して画像信号を出力する。さらに、ＡＳＩＣ１６０３には、ＬＥＤ駆動回路制御部１６０７が接続されている。
【００２４】
ＬＥＤ駆動回路制御部１６０７には、駆動回路１０４ａ、１０４ｂ・・・が内蔵されている。駆動回路１０４ａ、１０４ｂ・・・は、ＡＳＩＣ１６０３を介してＣＰＵ１６０２により制御される。また、ＬＥＤ駆動回路制御部１６０７には、１つのＬＥＤ基板２００が接続されている。
【００２５】
図３は、本発明の実施形態に係るＬＥＤ光源とシェーディング補正板の読取状態との対応関係を示す図である。
【００２６】
図３（ａ）に、前述したシェーディング補正処理時のシェーディング補正板１２１１の読取りレベルを、ＬＥＤ基板２００におけるＬＥＤ光源に対応づけて示す。図３（ａ）に示されたシェーディング補正板１２１１の読取りレベル６０１は、ＬＥＤ基板２００のＬＥＤ光源により照明されている範囲内で一様となっている。
【００２７】
ここで、図３に示したＬＥＤ素子の１つが点灯しなくなったとする。すると、シェーディング補正板１２１１の読取りレベル６０１は、図３（ｂ）のようになる（図３（ｂ）で消灯しているのは２０１ａのＬＥＤ素子）。このように、主走査方向の位置部分の光量が著しく落ち込むため、原稿読取装置は正常な画像の読取処理ができない。
【００２８】
次に、図３と図４を用いて、故障モードの対処方法について説明する。図４は、本発明の実施形態に係るシェーディング補正と故障動作例を説明するためのフローチャート図（その１）である。なお、図４での各処理は、制御回路基板１６０１のＲＯＭ１６０４等に記憶された制御プログラムがＲＡＭ１６０５にロードされて、ＣＰＵ１６０２により実行される。
【００２９】
まず、ユーザの画像読み取り操作により、ＣＰＵ１６０２は、前述したように、シェーディング補正処理を実行する。即ち、ＣＰＵ１６０２は、読取部１２１０をシェーディング補正板１２１１の読取り位置へ移動させ、ＬＥＤ駆動回路制御部１６０７を制御して、ＬＥＤ２０１を定電流制御にて発光させる。そして、ＣＰＵ１６０２は、イメージセンサ１２０９で検出された原稿のイメージデータをＡＳＩＣ１６０３に出力する（ステップＳ１）。
【００３０】
次に、ＣＰＵ１６０２は、出力されたデータをライン毎にプロファイルして、ＡＳＩＣ１６０３に格納する（ステップＳ２）。
【００３１】
次に、ＣＰＵ１６０２は、ライン毎のプロファイルデータを参照し、所定の基準値αとの比較を行う（ステップＳ３）。所定の基準値αを満たせば（ステップＳ４）、通常の読取りを実行する（ステップＳ５）。このとき、基準値αは、例えばＬＥＤの故障による発光不良といった明らかな光量減衰を想定した値としている。
【００３２】
例えば、ＬＥＤ２０１が故障した場合（プロファイルデータ＜基準値α）は、シェーディング補正板１２１１の読取りレベル６０１と２つのＬＥＤ素子との対応関係は図３（ｂ）のようになる。
【００３３】
一様な白色濃度を有するシェーディング補正板１２１１の読取り状況が図３（ｂ）に示すプロファイルになるので、ＣＰＵ１６０２は、読取りレベルが予め決められた閾値未満の位置に対応するＬＥＤ素子が発光していないと特定する。図３（ｂ）の例では、ＣＰＵ１６０２は、ＬＥＤ素子のいずれかのＬＥＤ素子２０１が発光していないことを検知する（ステップＳ６）。
【００３４】
このとき、ステップＳ６の処理が本発明の検知手段に対応する。
【００３５】
そして、故障モード読取りを始める（ステップＳ７）。ここでは、原稿が正しく読取れる位置をスキャンのランプを使って、ユーザに指定する（ステップＳ１１）。ここで、視認性を高めるため、照明の光量を調整したり、フィルターを使ってもよい。
【００３６】
次に、ユーザに指定した位置に原稿を置いてもらい、原稿を読取る（ステップＳ１２）。読取り後、ランプが点灯していない画像部分の異常画像領域は削除することを行う（ステップＳ１３）。
【実施例２】
【００３７】
続いて、もうひとつ本発明の実施形態について説明する。図５は、本発明の実施形態に係る原稿読取装置の制御回路を示すブロック図（その２）である。基本的には、実施例１のブロック図（図２）と同じであるが、実施例１のブロック図（図２）との差異は、原稿のサイズを検知するセンサ１６０９が追加されている点である。
【００３８】
図６は、本発明の実施形態に係るシェーディング補正と故障動作例を説明するためのフローチャート図（その２）である。基本的な読取フローは、実施例１（図４）と同じであるが、故障モード読取の部分が異なる。よって、ここでは、故障モードを検知したときからの処理（図４  ステップＳ７の（Ｂ）故障モード読取に相当）の部分について説明する。
【００３９】
まず、ＬＥＤの消灯を検知した場合、読取る原稿のサイズを原稿検知センサで検知する（ステップＳ２１）。この原稿サイズを検知する方法としては、基準位置に１度原稿をセットしてもらい、フォトインタラプタにて、原稿サイズを検知する。次に、特定した正常な領域と原稿サイズの大きさを比較する（ステップＳ２２）。
【００４０】
正常に読取可能な領域が原稿サイズより大きい場合、ユーザに原稿を置く位置をキャリッジの照明にて指定する（ステップＳ２３）。また、指定する方法としては、装置に接続されたパーソナルコンピュータの画面や、装置の操作部でもよい。ユーザが指定位置に置いたら、原稿を読取り（ステップＳ２４）、不要な異常画像部分を削除する（ステップＳ２５）。
【００４１】
また、正常読取領域が原稿サイズより小さい場合（ステップＳ２２のＮｏ）、キャリッジが原稿読取を行う往路（ステップＳ２６）の後、原稿を移動させる（ステップＳ２７）。原稿の移動方法としては、原稿の向きを反転したり、原稿を主走査方向に移動させる。これは、正常に読取れる画像領域によって決める。例えば、主走査方向の左右のどちらかが正常である場合は反転し、そうでない場合は、主走査方向に移動させる。
【００４２】
そして、通常では読まない復路において、２回目の原稿読取を行う（ステップＳ２８）。そして、２回読取った画像の正常画像をもとに合成する（ステップＳ２９）。
【００４３】
ここで、上記の往復読取により画像合成を、図７を用いて説明する。図７は、本発明の実施形態に係る往復読取による画像合成を説明する図である。
【００４４】
まず、反転は、原稿を反転させた場合の合成画像を作る方法である。例えば、読取位置の主走査方向の左半分、右半分のどちらかが正常に読取れる場合、原稿を反転させる。例では、データプロファイルにより、主走査方向右半分を正常であり、左半分はＬＥＤ素子２０１の不良がある場合の合成方法を示す。路で読取った往路画像（１）の正常部分である主走査方向右半分の画像と、復路で読取った復路画像（１）の主走査方向右半分の画像を使い、合成画像（１）をつくる。
【００４５】
一方、平行移動の場合、原稿を主走査方向に移動させる。移動させる方法は、異常領域部分が正常読取領域に入るように移動させる。これも、左半分にＬＥＤ素子２０１の不良がある場合の合成方法を示す。往路で読取った往路画像（２）と、復路で読取った主走査方向にずらした復路画像（２）の正常部分を使って、画像合成を行う。
【００４６】
このように、従来では、ＬＥＤ光源が故障したときに、近くのＬＥＤ素子の光量を調整するため、読取主走査方向に複数のＬＥＤ素子を並べた発光部をもつ必要があった。しかし、本発明では、主走査方向に並べた１ラインの発光部を使い、正常に読取可能な範囲を特定できるので、ＬＥＤ素子の数を増やすことなく、ＬＥＤ故障時に対応した原稿読取を行うことができる。
【００４７】
以上、いくつかの実施例を説明したが、特許請求の範囲に定義された本発明は、趣旨、および、その範囲から逸脱することなく、これらの実施例や具体例に様々な修正、および、変更が可能である。
【符号の説明】
【００４８】
１２０１    原稿照明ランプ
１２０３    原稿台ガラス
１２０４    原稿
１２０５    第１ミラー
１２０６    第２ミラー
１２０７    第３ミラー
１２０８    レンズ
１２０９    イメージセンサ
１２１０    読取部
１２１１    シェーディング補正板
１２１２    部材
１６０１    制御回路基板
１６０２    ＣＰＵ
１６０３    ＡＳＩＣ
１６０４    ＲＯＭ
１６０５    ＲＡＭ
１６０６    システムバス
１６０７    ＬＥＤ駆動回路制御部
１６０８    Ｉ／Ｆ回路
１６０９    原稿サイズ検知
【先行技術文献】
【特許文献】
【００４９】
【特許文献１】特開２００９−１２２１８０号公報
【図１】
2012151743.tif 000003
【図２】
2012151743.tif 000004
【図３】
2012151743.tif 000005
【図４】
2012151743.tif 000006
【図５】
2012151743.tif 000007
【図６】
2012151743.tif 000008
【図７】
2012151743.tif 000009